(57)【要約】【課題】取っ手を、例えば健常者と車イス使用者などのように、使いやすい高さ位置が異なる各人のそれぞれにとって使いやすいものにすることができる建具の戸板における取っ手の取付け構造を提供する。【解決手段】戸板１に、上下方向に延びる取っ手取付け用の位置決め溝３が備えられ、取っ手２は、その基部側が位置決め溝３に嵌め込まれることで、左右方向の移動を規制され、高さ位置変更可能に取り付けられている。溝３は、連続引き手を兼ねるものであるとよい。【選択図】      図１
2006097374.tif 000002
【特許請求の範囲】
【請求項１】
取っ手が戸板に高さ位置変更可能に取り付けられていることを特徴とする建具の戸板における取っ手の取付け構造。
【請求項２】
戸板に、上下方向に延びる取っ手取付け用の位置決め溝が備えられ、前記取っ手は、その基部側が該位置決め溝に嵌め込まれることで、左右方向の移動を規制されるようになされている請求項１に記載の建具の戸板における取っ手の取付け構造。
【請求項３】
建具が引き戸用であり、戸板に上下方向に延びる連続引き手用の溝が設けられ、該溝が、前記位置決め溝を兼ね、取っ手は戸板に対して着脱可能である請求項２に記載の建具の戸板における取っ手の取付け構造。
【請求項４】
取っ手の基部に、側方突出状態となることができる係合部が備えられると共に、戸板の溝内に側方への前記係合部の突出を許容する凹所が設けられ、係合部が凹所内に突出することで取っ手が位置決め溝に抜止め状態に保持されるようになされている請求項３に記載の建具の戸板における取っ手の取付け構造。
【請求項５】
前記抜止め用の凹所が上下方向に間隔的に列設され、該凹所内の上下の面部が取っ手の上下方向の移動を規制するようになされている請求項４に記載の建具の戸板における取っ手の取付け構造。
【発明の詳細な説明】
【技術分野】
【０００１】
本発明は、建具の戸板における取っ手の取付け構造に関する。
【背景技術】
【０００２】
例えば、引き戸式あるいは開き戸式等の内装用建具において、戸板に開閉用の取っ手が付けられているものは、従来より広く提供されているが、その取っ手は、健常者を対象とした高さ位置に固定で取り付けられており、幼児や車イス使用者にとっては、そのような取っ手は使いづらい。
【発明の開示】
【発明が解決しようとする課題】
【０００３】
本発明は、上記のような従来の問題点に鑑み、取っ手を、例えば健常者と車イス使用者などのように、使いやすい高さ位置が異なる各人のそれぞれにとって使いやすいものにすることができる建具の戸板における取っ手の取付け構造を提供することを課題とする。
【課題を解決するための手段】
【０００４】
上記の課題は、取っ手が戸板に高さ位置変更可能に取り付けられていることを特徴とする建具の戸板における取っ手の取付け構造によって解決される（第１発明）。
【０００５】
この構造では、取っ手が戸板に高さ位置変更可能に取り付けられていることで、取っ手の高さ位置を、例えば、健常者に使いやすい高さ位置にしたり、車イス使用者に使いやすい高さ位置にしたりすることができ、取っ手を、使いやすい高さ位置が異なる各人のそれぞれにとって使いやすいものにすることができる。
【０００６】
第１発明の構造において、戸板に、上下方向に延びる取っ手取付け用の位置決め溝が備えられ、前記取っ手は、その基部側が該位置決め溝に嵌め込まれることで、左右方向の移動を規制されるようになされているのもよい（第２発明）。
【０００７】
この構造では、取っ手を上方に位置させても、下方に位置させても、取っ手の左右方向における位置は、位置決め溝の位置決め作用によって一定になるので、左右方向における取っ手の使い良い位置を容易に設定することができる。
【０００８】
また、第２発明の構造において、建具が引き戸用であり、戸板に上下方向に延びる連続引き手用の溝が設けられ、該溝が、前記位置決め溝を兼ね、取っ手は戸板に対して着脱可能であるのもよい（第３発明）。
【０００９】
この構造では、取っ手を必要に応じて引き戸用戸板から取り外して、位置決め用の溝を連続引き手用の溝として引き手式の戸板にすることができ、また、取っ手を必要に応じて戸板に取り付けて取っ手式の戸板にすることができ、引き戸用の戸板を、例えば、健常者にとっても、車イス使用者にとっても、より使いやすいものにすることができる。しかも、それを兼用溝により簡素な構造で実現することができる。
【００１０】
上記の第３発明において、取っ手の基部に、側方突出状態となることができる係合部が備えられると共に、戸板の溝内に側方への前記係合部の突出を許容する凹所が設けられ、係合部が凹所内に突出することで取っ手が位置決め溝に抜止め状態に保持されるようになされているのもよい（第４発明）。
【００１１】
この構造では、取っ手基部を溝に嵌め込み状態にし、係合部を側方突出状態にするだけで、取っ手を戸板から抜止め状態にすることができ、取っ手の抜止め状態を容易に形成することができる。しかも、位置決め用の溝を利用し、溝内に設けた凹所内に取っ手側の係合部を突出させて抜止め状態にするものであるから、抜止め状態を簡素な構造で実現することができる。なお、係合部が側方突出状態であるか否かは、溝の凹所との関係で決まるものであり、取っ手において側方に突出しているかどうかは問わない。
【００１２】
上記の第４発明において、抜止め用の凹所が上下方向に間隔的に列設され、該凹所内の上下の面部が取っ手の上下方向の移動を規制するようになされているのもよい（第５発明）。
【００１３】
この構造では、取っ手基部を溝に嵌め込み状態にし、係合部を凹所内に突出させるだけで、取っ手を上下方向における所定の位置に上下方向に動かないように固定することができ、上下方向における取っ手の固定を容易に行うことができる。しかも、位置決め用の溝を利用し、溝内に設けた凹所内に取っ手側の係合部を突出させて固定する構造であるので、上下方向における取っ手の固定を簡素な構造で実現することができる。
【発明の効果】
【００１４】
本発明は、以上のとおりのものであるから、戸板に備えられる取っ手を、健常者と車イス使用者などのように、使いやすい高さ位置が異なる各人のそれぞれにとって使いやすいものにすることができる。
【発明を実施するための最良の形態】
【００１５】
次に、本発明の実施最良形態を図面に基づいて説明する。
【００１６】
図１〜図４に示す実施形態は、住宅等の建物の内装建具の引き戸用の戸板１を対象にしたもので、２が取っ手、３が取っ手取付け用の位置決め溝である。
【００１７】
位置決め用の溝３は、連続引き手用の溝を兼ねるもので、戸板１の側縁部に上下方向に延びるようにして備えられ、図４（イ）（ロ）に示すように、健常者４と車イス使用者５のいずれもが溝３を引き手として戸板１を開閉操作を行うことができるようになされている。そして、図２（イ）及び図３（ハ）に示すように、溝３の底面側の両側部にはそれぞれ、取っ手抜止め用の凹所６…，６…が、左右で高さ位置を同じにするようにして、上下方向に間隔的に列設されている。
【００１８】
取っ手２は、図２（イ）（ロ）に示すように、握り部７の両端に角形の脚部８，８が備えられた側面視「コ」字形のもので、該取っ手２の基部側である各脚部８，８の先端部は、位置決め用の溝３内に左右方向のガタなくしっくりと嵌合されるようになされており、取っ手２は、その両脚部８，８の先端部が溝３内に嵌め込まれることで、左右方向の移動を規制されるようになされている。
【００１９】
そして、各脚部８の先端面部には、係合部としての長方形状のプレート９が、脚軸回りで回転して向きを変えることで両側方突出状態となるように備えられ、位置決め用溝３に取っ手２の両脚部８，８を嵌合した状態で、各プレート９，９を回転することにより、プレート９の両端部が、溝３内の左右の凹所６，６内に突出し、取っ手２が抜止め状態に保持されると共に、プレート９の両側方突出部が、左右の凹所６，６内の上下の面部を当接部とし、該面部に当接することで、取っ手２の上下方向の移動も規制されるようになされている。各凹所６の上下方向の寸法や形態、プレートの寸法や形態は、上下方向における取っ手２のガタをできるだけ小さくする、あるいは、なくすように設計されるべきことはいうまでもない。
【００２０】
なお、各脚部８，８内には、プレート９を回転させる軸部１０が通され、各脚部８，８の基端面部には、軸部１０の端面部が露出し、そこに備えられている異形の操作孔１１にＬ形工具１２を差し込んで回転することにより、プレート９を回転操作することができるようになされている。
【００２１】
上記のような構成により、取っ手２は、図３（イ）（ロ）に示すように、その両脚部８，８の先端部を、所望の高さ位置において、戸板１の上下の方向に延びる位置決め溝３内に嵌め込み、そして、各脚部８の先端側に備えられているプレート９を工具１２で回転させ、溝３内にその高さ位置において備えられている左右の凹所６，６内にプレート９の両端部を突出状態にすることで、戸板１に対して、上下方向、左右方向、そして抜け方向におけるいずれの方向の移動も規制された取付け状態となる。
【００２２】
また、この取付け状態から、工具１２を用いて、各脚部８，８の先端側に備えられているプレート９，９を回転させて、プレート９の両端部を凹所６，６内から退出させ、そして、取っ手２を手前に引けば取り外すことができる。
【００２３】
上記の取っ手取付け構造では、取っ手２が戸板１に高さ位置変更可能に取り付けられていることで、取っ手２の高さ位置を、図１（イ）に示すようにように、健常者４に使いやすい高さ位置にしたり、図１（ロ）に示すように、車イス使用者５に使いやすい高さ位置にしたりすることができ、取っ手２を、健常者にとっても、幼児や車イス使用者にとっても使いやすいものにすることができる。
【００２４】
しかも、取っ手２は、戸板に設けられた上下方向に延びる位置決め溝３に嵌め込まれて取り付けられるようになされているので、戸板１に対する取っ手２の取付けにおいて、左右方向における取っ手２の使い良い位置を溝３を頼りに容易に設定することができる。また、取っ手２は、両脚部８，８の先端部を溝３内に嵌め込んだ状態で、両プレート９，９を回してその両端部を溝３内の凹所６，６に突出させれば、上下左右抜止め回転のいずれの方向においても移動を規制された取付け状態となり、そのような取付け状態を容易に形成することができる。
【００２５】
加えて、上記の戸板１は、引き戸式の戸板で、上記の位置決め用溝３は、連続引き手用の溝を兼ねているので、図４（イ）（ロ）に示すように、取っ手２を戸板１から取り外して、溝３を連続引き手用の溝にして引き手式の戸板１にすることができる。また、図１（イ）（ロ）に示すように、取っ手２を戸板１に取り付けて取っ手式の戸板１にすることができる。更に、図１（ロ）に示すように、取っ手２を車イス使用者５に使いやすい高さ位置に取り付けておくことで、身体的負担の大きい車イス使用者５は、取っ手２を操作して戸板１を容易に開閉することができ、身体的負担の少ない健常者は取っ手２に邪魔されることなく引き手（  ）を操作して戸板１を容易に開閉することができる。こうして、引き戸用の戸板１を、健常者にとっても、幼児や車イス使用者にとっても、非常に使いやすいものにすることができる。しかも、それを兼用溝３により簡素な構造で実現することができる。
【００２６】
以上に、本発明の実施形態を示したが、本発明はこれに限られるものではなく、発明思想を逸脱しない範囲で各種の変更が可能である。例えば、取っ手を戸板に対して着脱できずに上下方向にスライドして高さ位置を変更できるようにし、変更高さ位置でロックをかけることができるように取り付けられたものであって、溝が連続引き手を兼ねるもの、あるいは、兼ねないものなどであってもよい。
【００２７】
更に、上記の実施形態では、プレート９の両端を溝３の凹所６内に突出させて取付け状態にする場合を示しているが、プレート等の係合部の両端を溝３内で左右方向に突っ張らせて取付け状態を形成する構造にしてもよい。また、上記の実施形態では、取っ手２を回転させることなくプレートを回転させて取付け状態にする場合を示しているが、プレート等の係合部と取っ手を一体化し、取っ手を回転することにより、係合部を連動回転させて、溝内の凹所に突出させたり、溝内で突っ張らせて取り付ける構造などに構成されていてもよい。
【００２８】
また、戸板は、引き戸式に限らず、開き戸式や折れ戸式など各種式のものであってよい。取っ手についても、その具体的形態に制限はなく、要は握ることのできる部分を備えたものであればよい。溝についても、健常者と車イス使用者を対象にする場合は、車イス使用者に使いやすい高さ位置と健常者に使いやすい高さ位置を含む範囲に備えられたものであればよい。
【００２９】
更に、上記の実施形態では、健常者と車イス使用者を対象とした場合を示したが、健常者のなかでも、背の高い者と低い者を対象にした構造に構成されていてもよく、溝の高さ範囲についてもそれを考慮した高さ範囲に設定されていればよい。
【図面の簡単な説明】
【００３０】
【図１】図（イ）及び図（ロ）はそれぞれ、実施形態の取っ手取付け構造と使用方法の例を示す正面図である。
【図２】図（イ）は取っ手と戸板を分離状態にして示す一部断面斜視図、図（ロ）は取っ手の他の斜視図である。
【図３】図（イ）は溝の断面平面図、図（ロ）は取っ手取付け状態の断面平面図、図（ハ）は溝の拡大断面平面図である。
【図４】図（イ）及び図（ロ）はそれぞれ使用方法の他の例を示す正面図である。
【符号の説明】
【００３１】
１…戸板
２…取っ手
３…連続引き手兼用の位置決め溝（位置決め溝）
４…健常者
５…車イス使用者
６…凹所
９…プレート（係合部）
【図１】
2006097374.tif 000003
【図２】
2006097374.tif 000004
【図３】
2006097374.tif 000005
【図４】
2006097374.tif 000006